(57)【要約】【課題】便座に着座した人の部位（おしりやビデ）の洗浄効果を高めると共に、ノズル内やノズル先端部分に付着する黴や汚れの除去効果も向上し、洗浄時間が短くても良好な洗浄効果が得られ、洗浄水の節約にも繋がる技術として超音波発生装置を用い、温水タンク内の洗浄水レベルを検知するフロートスイッチが誤動作の防止、洗浄ノズルの入り口部への超音波振動子の取り付け、超音波振動子の点検修理等がし易くなる技術、節電効果が得られる技術等を提供する。【解決手段】水道水配管に接続された導水管を通って水道水がそのまままたは電気ヒータで加熱されて洗浄水として洗浄ノズルから噴出して便座に着座した人の部位を洗浄する温水洗浄便座装置において、前記洗浄ノズルの洗浄水入り口部に、洗浄ノズルへ流入する洗浄水として、キャビティ（空洞）の消滅時（破裂時）のエネルギーを活用する超音波洗浄水を生成する超音波洗浄水発生装置を設ける。【選択図】図８
2009179948.tif 000002
【特許請求の範囲】
【請求項１】
水道水配管に接続された導水管を通って水道水がそのまままたは電気ヒータで加熱され
て洗浄水として洗浄ノズルから噴出して便座に着座した人の部位を洗浄する温水洗浄便座
装置において、前記洗浄ノズルへ流入する洗浄水の入口部に、この洗浄水に超音波振動を
与えて超音波洗浄水を生成する超音波振動子を備えた超音波洗浄水発生装置を設け、前記
超音波洗浄水を前記洗浄ノズルから噴出することを特徴とする温水洗浄便座装置。
【請求項２】
水道水配管に接続された導水管を通って水道水が電気ヒータを備えた温水タンクへ供給
され、前記温水タンクの洗浄水が洗浄ノズルから噴出して便座に着座した人の部位を洗浄
する温水洗浄便座装置において、前記洗浄ノズルへ流入する洗浄水の入口部に、前記温水
タンクから前記洗浄ノズルへ流入する洗浄水路中の洗浄水に超音波振動を与えて超音波洗
浄水を生成する超音波振動子を備えた超音波洗浄水発生装置を設け、前記超音波洗浄水を
前記洗浄ノズルから噴出することを特徴とする温水洗浄便座装置。
【請求項３】
前記超音波洗浄水発生装置は、本体の上面に形成した上面開口を塞ぐ上蓋に前記超音波
振動子が取り付けられ、前記上蓋がシール材を介して着脱自在に設けられたことを特徴と
する請求項１または２に記載の温水洗浄便座装置。
【請求項４】
水道水配管に接続された導水管を通って水道水が電気ヒータを備えた温水タンクへ供給
され、前記温水タンクの洗浄水が洗浄ノズルから噴出して便座に着座した人の部位を洗浄
する温水洗浄便座装置において、前記洗浄ノズルへ流入する洗浄水の入口部に、前記温水
タンクから前記洗浄ノズルへ流入する洗浄水路中の洗浄水に超音波振動を与えて超音波洗
浄水を生成する超音波振動子を備えた超音波洗浄水発生装置を設け、前記超音波洗浄水発
生室は、前記温水タンク内の洗浄水が側壁から流入し下壁から前記洗浄ノズルへ流出し上
面に開口を有する室を形成し、前記上面の開口を着脱自在に塞ぐ上蓋に前記超音波洗浄水
発生室内の洗浄水に浸る状態に前記超音波振動子が取り付けられ、前記超音波洗浄水を前
記洗浄ノズルから噴出することを特徴とする温水洗浄便座装置。
【請求項５】
前記超音波振動子は、前記洗浄ノズルによる通常の洗浄モードで作動し、前記洗浄モー
ドの停止によって作動を停止することを特徴とする請求項１乃至４のいずれかに記載の温
水洗浄便座装置。
【発明の詳細な説明】
【技術分野】
【０００１】
本発明は、水道水配管に接続された導水管を通って供給される水道水が、水道水のまま
または加熱された温水となって洗浄ノズルから噴出して、便座に着座した人の部位を洗浄
する温水洗浄便座装置に関する。
【背景技術】
【０００２】
従来の温水洗浄便座装置として、便座の表面を洗浄するための洗浄部を設け、この洗浄
部に超音波発生器を配置して、噴射される温水が超音波によって洗浄される仕組みである
。（特許文献１参照）。
【０００３】
また、温水洗浄便座のノズル洗浄に、超音波洗浄装置を用いたものがある。（特許文献
２参照）。
【特許文献１】特開２００３−１２５９７９号公報
【特許文献２】特開平１１−３００２９９号公報
【発明の開示】
【発明が解決しようとする課題】
【０００４】
この特許文献１は、便座の表面を洗浄するために超音波発生器を配置するものであり、
便座に着座した人の部位（おしりやビデ）を洗浄するものではない。また、特許文献２の
ものは、おしり洗浄後、またはビデ洗浄後に、おしり・ビデ洗浄ノズルが後退して温水洗
浄便座１１０内に納まった段階で、超音波洗浄装置１０１が起動し、生成された超音波洗
浄水が吐水口からおしり・ビデ洗浄ノズルへと吐水され、おしり・ビデ洗浄ノズルを洗浄
するものであり、便座に着座した人の部位（おしりやビデ）を洗浄するものではない。
【０００５】
本発明は、特許文献１及び特許文献２の技術とは異なり、洗浄ノズルから噴出する洗浄
水として、キャビティ（空洞）を発生する超音波洗浄水を生成するように、洗浄ノズルの
入口部に超音波発生装置を用い、洗浄時間が短くても便座に着座した人の部位（おしりや
ビデ）の良好な洗浄効果が得られ、洗浄水の節約にも繋がる技術を提供する。そして、こ
れと共に、洗浄ノズルの内部やノズル先端部分に付着する黴や汚れの除去効果も向上し、
衛生管理上も好ましい温水洗浄便座装置を提供するものである。
【０００６】
また、温水タンク内の洗浄水レベルを検知するフロートスイッチが誤動作することのな
い技術を目指し、更に、洗浄ノズルの入り口部への超音波振動子の取り付け、超音波振動
子の点検修理、及び超音波洗浄水発生室内の点検等がし易くなる技術、更にまた、節電効
果が得られる技術等を提供可能とするものである。
【課題を解決するための手段】
【０００７】
第１発明は、水道水配管に接続された導水管を通って水道水がそのまままたは電気ヒー
タで加熱されて洗浄水として洗浄ノズルから噴出して便座に着座した人の部位を洗浄する
温水洗浄便座装置において、前記洗浄ノズルへ流入する洗浄水の入口部に、この洗浄水に
超音波振動を与えて超音波洗浄水を生成する超音波振動子を備えた超音波洗浄水発生装置
を設け、前記超音波洗浄水を前記洗浄ノズルから噴出することを特徴とする。
【０００８】
第２発明は、水道水配管に接続された導水管を通って水道水が電気ヒータを備えた温水
タンクへ供給され、前記温水タンクの洗浄水が洗浄ノズルから噴出して便座に着座した人
の部位を洗浄する温水洗浄便座装置において、前記洗浄ノズルへ流入する洗浄水の入口部
に、前記温水タンクから前記洗浄ノズルへ流入する洗浄水路中の洗浄水に超音波振動を与
えて超音波洗浄水を生成する超音波振動子を備えた超音波洗浄水発生装置を設け、前記超
音波洗浄水を前記洗浄ノズルから噴出することを特徴とする。
【０００９】
第３発明は、第１発明または第２発明において、前記超音波洗浄水発生室は、本体の上
面に形成した上面開口を塞ぐ上蓋に前記超音波振動子が取り付けられ、前記上蓋がシール
材を介して着脱自在に設けられたことを特徴とする。
【００１０】
第４発明は、水道水配管に接続された導水管を通って水道水が電気ヒータを備えた温水
タンクへ供給され、前記温水タンクの洗浄水が洗浄ノズルから噴出して便座に着座した人
の部位を洗浄する温水洗浄便座装置において、前記洗浄ノズルへ流入する洗浄水の入口部
に、前記温水タンクから前記洗浄ノズルへ流入する洗浄水路中の洗浄水に超音波振動を与
えて超音波洗浄水を生成する超音波振動子を備えた超音波洗浄水発生装置を設け、前記超
音波洗浄水発生室は、前記温水タンク内の洗浄水が側壁から流入し下壁から前記洗浄ノズ
ルへ流出し上面に開口を有する室を形成し、前記上面の開口を着脱自在に塞ぐ上蓋に前記
超音波洗浄水発生室内の洗浄水に浸る状態に前記超音波振動子が取り付けられ、前記超音
波洗浄水を前記洗浄ノズルから噴出することを特徴とする。
【００１１】
第５発明は、第１発明乃至第４発明のいずれかにおいて、前記超音波振動子は、前記洗
浄ノズルによる通常の洗浄モードになった状態で作動し、前記洗浄モードの停止によって
作動を停止する。
【発明の効果】
【００１２】
第１発明によって、超音波洗浄水発生装置で生成される超音波洗浄水が、洗浄ノズルを
通ってその先端部のノズルから噴出することにより、超音波洗浄水中のキャビティ（空洞
）の消滅時（破裂時）のエネルギーによって、キャビティが存在しない単なる洗浄水の噴
出による洗浄に比して、お尻に付着した汚物を洗浄する効果が向上する。また、これと共
に、洗浄ノズルを通る際にキャビティ（空洞）の消滅時のエネルギーによって、洗浄ノズ
ル内と先端のノズル部分が洗浄されるため、洗浄ノズル内の水垢の洗浄効果の向上と共に
、先端のノズル部分の洗浄効果も向上し、先端のノズル部分に付着する黴や汚れの除去効
果も向上するものとなる。このため、キャビティ（空洞）が存在しない場合に比して、洗
浄時間が短くても良好な洗浄効果が得られ、洗浄水の節約にも繋がるものとなる。
【００１３】
第２発明によって、温水タンクを備えたものにおいて、温水タンク内に貯留した洗浄水
を超音波振動子によって超音波振動させて、キャビティ（空洞）を発生する超音波洗浄水
を温水タンク内に生成させると、温水タンク内の洗浄水レベルを検知するフロートスイッ
チが誤動作することがある。しかし、本発明では、温水タンクを出て洗浄ノズルへ入る洗
浄水を超音波振動させてキャビティ（空洞）を発生する超音波洗浄水を生成するため、こ
のような問題はない。そして、このキャビティ（空洞）の消滅時（破裂時）のエネルギー
によって、キャビティ（空洞）がない単なる洗浄水の噴出による洗浄に比して、お尻に付
着した汚物を洗浄する効果が向上する。また、これと共に、洗浄ノズルを通る際にキャビ
ティ（空洞）の消滅時のエネルギーによって、洗浄ノズル内と先端のノズル部分が洗浄さ
れるため、洗浄ノズル内の水垢の洗浄効果の向上と共に、先端のノズル部分の洗浄効果も
向上し、先端のノズル部分に付着する黴や汚れの除去効果も向上するものとなる。このた
め、キャビティ（空洞）が存在しない場合に比して、洗浄時間が短くても良好な洗浄効果
が得られ、洗浄水の節約にも繋がる。このような洗浄効果を得るためには、超音波洗浄水
が洗浄ノズルから噴出する通常使用の洗浄モードにおいて行なわれるようにすれば、通常
使用の洗浄モードの休止期間中に、特別に洗浄ノズルを作動させて超音波洗浄水を洗浄ノ
ズルに供給して、洗浄ノズルを洗浄する必要もなく、制御も簡素化され、洗浄水の無駄も
省ける。
【００１４】
第３発明は、第１発明または第２発明の効果に加えて、超音波洗浄水発生室は、その上
面開口を塞ぐ上蓋に超音波振動子が取り付けられているため、洗浄ノズルの入り口部への
超音波振動子の取り付け、超音波振動子の点検修理、及び超音波洗浄水発生室内の点検等
がし易くなる。
【００１５】
第４発明によって、温水タンクを備えたものにおいて、、温水タンク内に貯留した洗浄
水を超音波振動子によって超音波振動させて、キャビティ（空洞）を発生する超音波洗浄
水を温水タンク内に生成させると、温水タンク内の洗浄水レベルを検知するフロートスイ
ッチが誤動作することがあるが、本発明では、温水タンクを出て洗浄ノズルへ入る洗浄水
を超音波振動させてキャビティ（空洞）を発生する超音波洗浄水を生成するため、このよ
うな問題はない。そして、このキャビティ（空洞）の消滅時（破裂時）のエネルギーによ
って、キャビティ（空洞）が存在しない単なる洗浄水の噴出による洗浄に比して、お尻に
付着した汚物を洗浄する効果が向上する。また、これと共に、洗浄ノズルを通る際にキャ
ビティ（空洞）の消滅時のエネルギーによって、洗浄ノズル内とノズル部分が洗浄される
ため、洗浄ノズル内の水垢の洗浄効果の向上と共に、ノズル部分の洗浄効果も向上するた
め、ノズル部分に付着する黴や汚れの除去効果も向上するものとなる。このため、キャビ
ティ（空洞）が存在しない場合に比して、洗浄時間が短くても良好な洗浄効果が得られる
ため、洗浄水の節約にも繋がる。このような洗浄効果を得るためには、超音波洗浄水が洗
浄ノズルから噴出する通常使用の洗浄モードにおいて行なわれるようにすれば、通常使用
の洗浄モードの休止期間中に、特別に洗浄ノズルを作動させて超音波洗浄水を洗浄ノズル
に供給して、洗浄ノズルを洗浄する必要もなく、制御も簡素化され、洗浄水の無駄も省け
る。また、超音波洗浄水発生室が、洗浄水が温水タンクから洗浄ノズルへ流入する接続装
置となるため、温水タンクから洗浄ノズルへ流入する洗浄水にキャビティ（空洞）を発生
し易い構造となり、超音波洗浄水発生室と洗浄ノズルを一体化したユニット構成とすれば
、温水洗浄便座装置の組み立て構成が簡素化されたものとなる。
【００１６】
第５発明によって、超音波振動子は、洗浄水が洗浄ノズルから噴出する通常の洗浄モー
ドにおいて作動するため、洗浄水が洗浄ノズルから噴出しない待機状態では作動停止状態
であり、節電効果が得られる。特に、このような洗浄効果の向上は、超音波洗浄水が洗浄
ノズルから噴出する通常使用の洗浄モードにおいて行なわれるため、通常使用の洗浄モー
ドの休止期間中に、特別に洗浄ノズルを作動させて超音波洗浄水を洗浄ノズルに供給して
、洗浄ノズルを洗浄する必要もなく、制御も簡素化され、洗浄水の無駄も省ける。
【発明を実施するための最良の形態】
【００１７】
本発明の温水洗浄便座装置は、水道水配管に接続された導水管を通って水道水がそのま
ままたは電気ヒータで加熱されて洗浄水として洗浄ノズルから噴出して便座に着座した人
の部位を洗浄する温水洗浄便座装置において、前記洗浄ノズルへ流入する洗浄水の入口部
に、この洗浄水に超音波振動を与えて超音波洗浄水を生成する超音波振動子を備えた超音
波洗浄水発生装置を設け、前記超音波洗浄水を前記洗浄ノズルから噴出するものであり、
本発明の実施例を以下に記載する。
【実施例１】
【００１８】
本発明の実施形態について説明する。図１は本発明に係る温水洗浄便座装置の蓋が閉ま
った状態の斜視図、図２は本発明に係る温水洗浄便座装置の蓋を取り外した状態の斜視図
、図３は本発明に係る温水洗浄便座装置の蓋と機能部分のカバーを取り外した状態の機能
部分を示す正面斜視図、図４は本発明に係る温水洗浄便座の機能部分のカバーを取り外し
た状態の斜視図、図５は本発明に係る温水洗浄便座装置の機能部分のカバーと温水タンク
を取り外して洗浄ノズル部分を露出させた正面斜視図、図６は本発明に係る温水洗浄便座
装置の着座検出スイッチ装置部分の断面図、図７は本発明に係る温水洗浄便座装置の洗浄
水の流れ経路図、図８は本発明に係る温水洗浄便座装置の待機モードを示す構成図、図９
は本発明に係る温水洗浄便座装置のおしり洗浄モードを示す構成図、図１０は本発明に係
る温水洗浄便座装置のビデ洗浄モードを示す構成図、図１１は本発明に係る洗浄ノズルユ
ニットの斜視図、図１２は本発明に係る開閉弁機構とノズル通路切り替え弁機構の待機モ
ードを示す説明図、図１３は本発明に係る開閉弁機構とノズル通路切り替え弁機構のおし
り洗浄モードを示す説明図、図１４は本発明に係る開閉弁機構とノズル通路切り替え弁機
構のビデ洗浄モードを示す説明図、図１５は本発明に係る温水洗浄便座装置の超音波洗浄
水発生装置の断面図、図１６は本発明に係る温水洗浄便座装置の制御装置の構成図である
。
【００１９】
図において、１は本発明の温水洗浄便座装置を示しており、裏側から絶縁被覆されたコ
ードヒータ（図示せず）で加温される便座２と、便座２の上面を覆う開閉蓋３と、便座２
及び開閉蓋３の後方に位置して後述の機能部１０を配置すると共に便座２及び開閉蓋３を
開閉回動可能に支持する基材部８を備えている。基材部８には、洗浄ノズルとして便座２
の後部下側へ延びるおしり（肛門）洗浄用ノズル４Ａとビデ洗浄用ノズル４Ｂ、温水タン
ク５、及び電装部６等の機能部１０が配設され、この機能部１０を覆うようにカバー７が
基材部８に着脱自在に取り付けられている。カバー７の一部がパネル７Ａになっている。
蓋３の後端部の駆動側（図では右側）は、基材部８に支持部材を介して取り付けた電動機
装置９によって往復回転する回転軸１１に取り付けられて、蓋３が上方に開閉回動可能で
ある。
【００２０】
また、便座２の後端部の駆動側（図では左側）は、基材部８に取り付けた電動機装置１
２によって往復回転する回転軸１３に取り付けられて、便座２が上方に開閉回動可能であ
る。また、便座２の後端部の従動側（図では右側）は、便座２の後端部から水平方向に外
向きに突出した円筒状軸部２４が一体に形成され、この円筒状軸部２４が後述のタクトス
イッチ２８作動部として作用する。なお、この円筒状軸部２４へ緩く進入するように基材
部８から延びた水平方向軸によって、回動可能且つ上下動可能に支持するようにしてもよ
い。また、円筒状軸部２４が基材部８の軸受け部に上下動可能に支持される構成でもよい
。
【００２１】
洗浄水として温水タンク５へ供給される水道水は、パイプジョイント装置１４によって
水道水配管に接続された導水管１９に取り付けたごみ取り用のストレーナ６２と逆止弁６
３を通過した後、電磁弁４０と減圧弁４１を順次通り、後述の開閉弁４７を経て温水タン
ク５内の底部へ供給される。１９Ａは温水タンク５へ供給される水道水路の途中に設けた
接続部である。図示していないが、機能部１０は温風用電気ヒータを内蔵した温風供給装
置を備えており、これが基材部８に取り付けられていて、便座２の後部下側へ延びる温風
ノズルから温風を供給して、洗浄後のお尻を乾燥するようにしている。
【００２２】
温水タンク５内の水を加熱するための温水ヒータとして、通電にて発熱するシーズヒー
タ４２が温水タンク５内の底部に配設されている。シーズヒータ４２を通電する温水モー
ドとするか、非通電の冷水モード（供給される水道水温）とするかは、プッシュ・プッシ
ュ式の温水ヒータスイッチ４５によって制御される。温水タンク５の上壁には、温水タン
ク５内の異常温度を検知してシーズヒータ４２への通電回路を遮断する温度検知部２１と
、温水タンク５内の洗浄水レベルを検知して電磁弁４０を開閉制御して、温水タンク５内
の洗浄水レベルを所定レベルに制御するフロートスイッチ２２と、温水タンク５内の圧力
が外気圧よりも低くなったとき温水タンク５内と外気を連通する負圧弁２３Ａを備えた気
圧調整用パイプ２３Ｂの取り付け部２３が設けられている。また温水タンク５内には、温
水タンク５内の温水温度は、温水モードにおいて温水温度可変スイッチ６４によって使用
者が任意の設定温度に設定できる。温水モードにおいてシーズヒータ４２への通電を制御
して、温水タンク５内の温水温度を前記設定温度に維持するため、温水タンク５内の温水
温度を検知するサーミスタ６１が設けられている。
【００２３】
おしり洗浄用ノズル４Ａとビデ洗浄用ノズル４Ｂは、温水タンク５内の洗浄水の水圧に
よって進出するようにするために、洗浄モードでない待機モードでは、おしり洗浄用ノズ
ル４Ａとビデ洗浄用ノズル４Ｂは、図８のように、それぞれコイルバネ４Ａ２、４Ｂ２に
よって、ノズルカバー４Ａ１、４Ｂ１内に収容された状態であり、洗浄モードにおいて、
おしり洗浄用ノズル４Ａとビデ洗浄用ノズル４Ｂは、それぞれコイルバネ４Ａ２、４Ｂ２
を圧縮しつつ前方へ進出する仕組みである。
【００２４】
温水タンク５内の洗浄水をおしり洗浄用ノズル４Ａへ供給するか、ビデ洗浄用ノズル４
Ｂへ供給するかを切り替えるノズル通路切り替え弁４８が、おしり洗浄用ノズル４Ａ側の
入口通路７４Ａとビデ洗浄用ノズル４Ｂ側の入口通路７４Ｂの分岐部７２に設けられてい
る。開閉弁４７とノズル通路切り替え弁４８は、１つのステッピングモータ４６によって
正転・逆転する回動軸７０と、この回動軸７０を収容した筒体７１によって構成されてお
り、開閉弁４７機構は、図１２乃至図１４に示すように、回動軸７０の外面の略半分に及
ぶ範囲に窪み４７Ａを形成しており、また、ノズル通路切り替え弁４８の機構は、図１２
乃至図１４に示すように、回動軸７０の先端から軸方向へ形成した有底の中空通路７３と
、この中空通路７３に連通するように回動軸７０の一部を貫通した連通路４８Ａが形成さ
れている。
【００２５】
洗浄モードでない待機モードにおいては、図１２の（イ）（ロ）に示すように、開閉弁
４７機構では、窪み４７Ａが水入口通路ＥＴと水出口通路ＸＴを連通しない位置にあり、
開閉弁４７が閉じた状態であり、また、ノズル通路切り替え弁４８機構では、通路４８Ａ
が筒体７１によって塞がれた状態であり、中空通路７３がおしり洗浄用ノズル４Ａ側の入
口通路７４Ａとビデ洗浄用ノズル４Ｂ側の入口通路７４Ｂとに連通していない状態である
。このため、図８に示すように、おしり洗浄用ノズル４Ａとビデ洗浄用ノズル４Ｂが、そ
れぞれコイルバネ４Ａ２、４Ｂ２によって、ノズルカバー４Ａ１、４Ｂ１内に収容された
状態である。
【００２６】
温水タンク５内の洗浄水レベルは、待機モードでは、図８に示すようにタンク水送出パ
イプ７５の上端開口よりも若干低いＷＬラインに維持されており、後述のようにおしり洗
浄モード及びビデ洗浄モードのいずれかの洗浄モードになれば、ＷＬラインよりも高い水
位となって、タンク水送出パイプ７５の上端開口からタンク水送出パイプ７５内へ洗浄水
が流入する状態となる。
【００２７】
そして、待機モードから洗浄モードのうちのおしり洗浄モードになれば、ステッピング
モータ４６によって回動軸７０が正回転して、図１３の（イ）（ロ）に示すように、開閉
弁４７機構では、窪み４７Ａが水入口通路ＥＴと水出口通路ＸＴを連通する状態となり、
開閉弁４７が開いた状態となり、また、ノズル通路切り替え弁４８機構では、連通路４８
Ａがおしり洗浄用ノズル４Ａ側の入口通路７４Ａに連通した状態となり、水道水圧が温水
タンク５内に掛かり、温水タンク５内へ水道水を供給すると共に、温水タンク５内の洗浄
水が後述の超音波洗浄水発生装置５５０を通っておしり洗浄用ノズル４Ａへ供給され、図
９のように、その水圧によっておしり洗浄用ノズル４Ａがコイルバネ４Ａ２をそのバネ力
に抗して圧縮しつつ、前方へ進出し、先端のノズルから洗浄水が噴出する。
【００２８】
また、待機モードから洗浄モードのうちのビデ洗浄モードになれば、ステッピングモー
タ４６によって回動軸７０が逆回転して、図１４の（イ）（ロ）に示すように、開閉弁４
７機構では、窪み４７Ａが水入口通路ＥＴと水出口通路ＸＴを連通する状態となり、開閉
弁４７が開いた状態となり、また、ノズル通路切り替え弁４８機構では、連通路４８Ａが
ビデ洗浄用ノズル４Ｂ側の入口通路７４Ｂに連通した状態となり、水道水圧が温水タンク
５内に掛かり、温水タンク５内へ水道水を供給すると共に、温水タンク５内の洗浄水が後
述の超音波洗浄水発生装置５５０を通ってビデ洗浄用ノズル４Ｂへ供給され、図１０のよ
うに、その水圧によってビデ洗浄用ノズル４Ｂがコイルバネ４Ｂ２をそのバネ力に抗して
圧縮しつつ、前方へ進出し、先端のノズルから洗浄水が噴出する。
【００２９】
また、上記のおしり洗浄モードまたはビデ洗浄モードにおいて、ステッピングモータ４
６によって回動軸７０の回転角度を変えることによって、ノズル通路切り替え弁４８の連
通路４８Ａが筒体７１によって塞がれる割合、即ち連通路４８Ａの開口面積を変えること
ができるため、この開口面積に応じた流量の水道水が、選択されたビデ洗浄用ノズル４Ｂ
側の入口通路７４Ｂまたはビデ洗浄用ノズル４Ｂ側の入口通路７４Ｂへ流れる。待機モー
ドから洗浄モードになったときは、最大流量と最小流量の中間流量に設定されており、こ
の状態から使用者が流量可変スイッチ４９を操作することによって、好みの流量に変更で
きる。
【００３０】
組み立てのし易さ等を考慮して、図１１に示すように、コイルバネ４Ａ２、４Ｂ２及び
ノズルカバー４Ａ１、４Ｂ１を含むおしり洗浄用ノズル４Ａとビデ洗浄用ノズル４Ｂの機
構、ステッピングモータ４６を含む開閉弁４７機構とノズル通路切り替え弁４８機構は、
１つの洗浄ノズルユニットＮＵを構成しており、この洗浄ノズルユニットＮＵが温水タン
ク５の下部に配置されて、後述の超音波洗浄水発生装置５５０を介して温水タンク５のタ
ンク水送出パイプ７５に連通状態となる。
【００３１】
本発明では、温水タンク５からタンク水送出パイプ７５を通って洗浄ノズル（実施例の
おしり洗浄用ノズル４Ａとビデ洗浄用ノズル４Ｂ）へ流入する洗浄水路中の洗浄水に超音
波振動を与えてキャビティ（空洞）を発生するように、超音波振動子５０を備えた超音波
洗浄水発生装置５５０を設けている。具体的には、図示のように温水タンク５の洗浄水が
流出するタンク水送出パイプ７５に超音波洗浄水発生装置５５０の入り口５２を接続し、
洗浄ノズルユニットＮＵへの洗浄水の入口７６に超音波洗浄水発生装置５５０の出口５３
を接続している。洗浄ノズルユニットＮＵへの洗浄水の入口７６は、分岐部７２への洗浄
水の入口である。
【００３２】
超音波洗浄水発生装置５５０は、その本体５１が矩形状または円筒状をなして上面に開
口５４を有する超音波洗浄水発生室５１Ａを形成し、温水タンク５内の洗浄水が流入する
入り口５２を側壁（周囲壁の一部分）に形成し、洗浄水が流出する出口５３を下壁に形成
しており、本体５１の上面の開口５４は、ネジ５６によって着脱自在に取り付けられる上
蓋５５で塞がれている。入り口５２は温水タンク５内に略垂直に立設した上端開口のタン
ク水送出パイプ７５内に連通状態であり、出口５３は中空通路７３に連通するように、洗
浄ノズルユニットＮＵの上面に形成した接続口７６へ接続される。
【００３３】
上蓋５５は、上部材５５Ａと下部材５５Ｂで構成され、上部材５５Ａは平坦であるが、
下部材５５Ｂは開口５４に略いっぱいに入り込むように下方へ窪んでおり、この窪んだ収
容部５７に超音波振動子５０が収容されている。そして、超音波振動子５０を覆うように
上部材５５Ａが下部材５５Ｂの上に重ね合わさった状態で、開口５４の周縁に配置した環
状パッキング５８を圧縮するように、上部材５５Ａと下部材５５Ｂの周縁部を貫通するネ
ジ５６によって本体５１に固定している。この状態で、収容部５７の下面が超音波洗浄水
発生室５１Ａ内に充満した洗浄水に浸る状態となり、超音波振動子５０の作動によって、
超音波洗浄水発生室５１Ａ内の洗浄水に超音波振動を与えてキャビティ（空洞）を発生さ
せ、超音波洗浄水発生室５１Ａ内で、このキャビティ（空洞）を有する超音波洗浄水を生
成する仕組みである。なお、超音波洗浄水発生装置５５０は、洗浄ノズルユニットＮＵに
取り付けてユニット化し、これを洗浄ユニットとして基材部８にネジにて取り付ける構成
とすれば、組み立て及び修理点検時の着脱がし易くなる。
【００３４】
便座２は、その裏側に間隔を存して複数個の弾性脚部が設けられ、便器上面フランジ部
に便座２を倒した状態で、この弾性脚部が便器上面フランジ部に当接する。この弾性脚部
によって、便座２に着座した使用者の体重によって軸部２４側が下降する構成であり、軸
部２４が下降することによって、スイッチカバー３４がコイルバネ３５を圧縮して、着座
検出スイッチ装置２５のタクトスイッチ２８が作動する仕組みである。また、着座状態の
便座２から人が離れることによって、タクトスイッチ２８が復帰する。
【００３５】
便座２に人が着座してタクトスイッチ２８が閉じた（ＯＮした）状態で、おしり洗浄開
始スイッチ４３Ａまたはビデ洗浄開始スイッチ４３Ｂを便座２の使用者がＯＮ操作するこ
とによって、洗浄モードとなり、制御回路部６０が作動して上述のように、おしり洗浄用
ノズル４Ａまたはビデ洗浄用ノズル４Ｂが進出してその進出したノズルから洗浄水が噴出
する。この噴出は、洗浄停止スイッチ４４を便座２の使用者がＯＮ操作することによって
停止する。
【００３６】
このように、おしり洗浄開始スイッチ４３Ａまたはビデ洗浄開始スイッチ４３Ｂの操作
によって、制御回路部６０が作動し、温水タンク５内の洗浄水（シーズヒータ４２が通電
モードによる温水と、シーズヒータ４２が非通電モードによる水道水そのままの場合があ
る）が、おしり洗浄用ノズル４Ａまたはビデ洗浄用ノズル４Ｂから噴出する制御について
説明する。
【００３７】
水道水は、後述のように、水道水配管に接続された導水管１９に取り付けた電磁弁４０
と減圧弁４１を順次通り、開閉弁４７を経て温水タンク５へ供給される。通常使用状態に
おいて洗浄モードでない状態では、温水タンク５内の洗浄水レベルは、図８に示すＷＬラ
インに維持されている。温水タンク５へ供給された水は、シーズヒータ４２が通電モード
になっておれば温水となり、シーズヒータ４２が非通電モードであれば水道水そのままで
ある。洗浄モードでない状態では、おしり洗浄用ノズル４Ａとビデ洗浄用ノズル４Ｂは、
図８のように、それぞれコイルバネ４Ａ２、４Ｂ２によって、ノズルカバー４Ａ１、４Ｂ
１内に収容された退避状態（後退状態）である。
【００３８】
便座２に人が着座してタクトスイッチ２８が閉じた（ＯＮした）状態で、おしり洗浄開
始スイッチ４３Ａまたはビデ洗浄開始スイッチ４３Ｂを便座２の使用者がＯＮ操作するこ
とによって、制御回路部６０が作動し洗浄モードとなる。この洗浄モードによって、通電
によって電磁弁４０が開くと共に、ノズル用電動機であるステッピングモータ４６が制御
回路部６０からのパルス信号によってステップ手作動し、上記のように開閉弁４７を開く
と共に、ノズル通路切り替え弁４８を作動する。これによって、上記のように開閉弁４７
が開くと共にノズル通路切り替え弁４８が作動する。そして、導水管１９から供給される
水道水圧によって、温水タンク５内の洗浄水レベルは略満水状態となり、図８に示すＷＬ
ラインよりも高い水位へ上昇し、タンク水送出パイプ７５の上端開口からタンク水送出パ
イプ７５内へ洗浄水が流入する状態となる。このタンク水送出パイプ７５内へ流入した洗
浄水を通して掛かる水道水圧が、超音波洗浄水発生装置５５０を通しておしり洗浄開始ス
イッチ４３Ａまたはビデ洗浄開始スイッチ４３Ｂで選択された方のおしり洗浄用ノズル４
Ａまたはビデ洗浄用ノズル４Ｂへ掛かり、この選択された方のおしり洗浄用ノズル４Ａま
たはビデ洗浄用ノズル４Ｂが、この水道水圧によって前記バネ４Ａ２または４Ｂ２に抗し
て前方へ所定長さまで突出作動し、選択された方のおしり洗浄用ノズル４Ａまたはビデ洗
浄用ノズル４Ｂの先端のノズルから、後述の超音波洗浄水が噴出する。
【００３９】
なお、この噴出する洗浄水の流量は、流量可変スイッチ４９によってステッピングモー
タ４６が作動して回動軸７０が回動し、それによってノズル通路切り替え弁４８の開度（
連通路４８Ａが筒体７１によって塞がれる範囲）が変わり、選択されたおしり洗浄用ノズ
ル４Ａまたはビデ洗浄用ノズル４Ｂから噴出する洗浄水の流量を可変できる。
【００４０】
このような動作によって、所定の流量でもって洗浄水が温水タンクから選択されたおし
り洗浄用ノズル４Ａまたはビデ洗浄用ノズル４Ｂから噴出して洗浄が行われる。そして、
洗浄停止スイッチ４４を便座２の使用者がＯＮ操作することによって、制御回路部６０の
動作によって、電磁弁４０がＯＦＦして弁を閉じると共に、ノズル用電動機であるステッ
ピングモータ４６が作動し、開閉弁４７を閉じてこの洗浄水の噴出が停止し、洗浄モード
が終了する。
【００４１】
上記のように、制御回路部６０が作動し洗浄モードとなると、超音波振動子５０が作動
を開始して、温水タンク５のタンク水送出パイプ７５を通して供給される超音波洗浄水発
生室５１Ａ内の洗浄水を超音波振動させてキャビティ（空洞）を発生させ、このキャビテ
ィ（空洞）を含む超音波洗浄水を生成する。このキャビティ（空洞）を含む超音波洗浄水
が、選択された方のおしり洗浄用ノズル４Ａまたはビデ洗浄用ノズル４Ｂから噴出される
。超音波洗浄水でない通常の洗浄水の噴出による洗浄に比して、このとき、キャビティ（
空洞）の消滅時（破裂時）のエネルギーによって、お尻に付着した汚物を洗浄する効果が
向上する。また、これと共に、洗浄ノズル４Ａまたは４Ｂを通る際に、キャビティ（空洞
）の消滅時（破裂時）のエネルギーによって、洗浄ノズル４Ａまたは４Ｂ内とその先端の
ノズル部分が洗浄されるため、洗浄ノズル４Ａまたは４Ｂ内の水垢の洗浄効果の向上と共
に、先端のノズル部分の洗浄効果も向上し、先端のノズル部分に付着する黴や汚れの除去
効果も向上するものとなる。このため、超音波洗浄水でない通常の洗浄水の噴出による洗
浄に比して、洗浄時間が短くても良好な洗浄効果が得られるため、洗浄水の使用量も少な
くでき、洗浄水の節約にも繋がる。
【００４２】
上記のような洗浄効果を高めるためには、洗浄ノズルユニットＮＵの上面に形成した接
続口７６から流入する超音波洗浄水の振動の振幅が最大となるように、後述の発振回路の
発振周波数、超音波洗浄水発生室５１Ａの容積、超音波洗浄水発生室５１Ａから接続口７
６までの距離等を考慮した設計とするが、超音波洗浄水発生室５１Ａの容積は、１００ｃ
ｃ〜２００ｃｃ程度である。また、キャビティ（空洞）の消滅時（破裂時）のエネルギー
によって洗浄効果を得るため、キャビティ（空洞）の発生のために、実施例では、超音波
振動子５０へ付与する信号として、２０ｋＨｚ〜５００ｋＨｚの範囲の高周波信号を発生
する発振回路を採用している。
【００４３】
そして、上記のように制御回路部６０の作動により洗浄モードが終了することによって
、超音波振動子５０が作動を停止する。このように、超音波振動子５０は、洗浄水が洗浄
ノズル４Ａまたは４Ｂから噴出する動作モード（洗浄モード）において作動するように制
御されるため、洗浄水が洗浄ノズル４Ａまたは４Ｂから噴出しない待機状態では作動停止
状態であり、節電効果が得られる。
【００４４】
このように、温水タンク５を備えたものにおいて、洗浄水が洗浄ノズル４Ａまたは４Ｂ
から噴出しない待機状態中に超音波振動子５０を作動させても、超音波洗浄水発生装置５
５０で発生する超音波洗浄水中のキャビティ（空洞）の消滅時（破裂時）のエネルギーを
有効活用できないので、本発明では通常の洗浄モードで超音波洗浄水発生装置５５０が作
動するようにしている。また、温水タンク５内に超音波洗浄水発生装置５５０を設けて、
洗浄モードにおいて温水タンク５内の洗浄水に超音波振動を与える場合は、温水タンク５
内の洗浄水レベルを検知するフロートスイッチ２２が誤動作する虞があるが、本発明では
これも防止できる。
【００４５】
本発明では、水道水配管に接続された導水管１９に取り付けた電磁弁４０と減圧弁４１
を通って水道水がそのまま洗浄水として、または電気ヒータで加熱された温水の洗浄水と
して、洗浄ノズル４Ａまたは４Ｂから噴出して便座２に着座した人の部位を洗浄する温水
洗浄便座装置において、洗浄ノズル４Ａまたは４Ｂの洗浄水入り口部に、洗浄ノズル４Ａ
または４Ｂへ流入する洗浄水にキャビティ（空洞）を発生する超音波洗浄水を生成する超
音波振動子５０を備えた超音波洗浄水発生装置５５０を設けたものであるため、上記のよ
うに温水タンク５を備えたものに限らず、温水タンク５を備えない水道水管直結型の温水
洗浄便座装置において、洗浄ノズル４Ａまたは４Ｂの洗浄水入り口部に、洗浄ノズル４Ａ
または４Ｂへ流入する洗浄水にキャビティ（空洞）の発生を伴う超音波洗浄水を生成する
超音波振動子５０を備えた超音波洗浄水発生室５１Ａを設ければ、同様の効果が得られる
ものとなる。
【産業上の利用可能性】
【００４６】
本発明は、上記実施例に示した構成に限定されず、種々の形態の温水洗浄便座装置に適
用できるものであり、本発明の技術範囲において種々の形態を包含するものである。
【図面の簡単な説明】
【００４７】
【図１】本発明に係る温水洗浄便座装置の蓋が閉まった状態の斜視図である。
【図２】本発明に係る温水洗浄便座装置の蓋を取り外した状態の斜視図である。
【図３】本発明に係る温水洗浄便座装置の蓋と機能部分のカバーを取り外した状態の機能部分の正面斜視図である。
【図４】本発明に係る温水洗浄便座の機能部分のカバーを取り外した状態の斜視図である。
【図５】本発明に係る温水洗浄便座装置の機能部分のカバーと温水タンクを取り外して洗浄ノズル部分を露出させた正面斜視図である。
【図６】本発明に係る温水洗浄便座装置の着座検出スイッチ装置部分の断面図である。
【図７】本発明に係る温水洗浄便座装置の洗浄水の流れ経路図である。
【図８】本発明に係る温水洗浄便座装置の待機モードを示す構成図である。
【図９】本発明に係る温水洗浄便座装置のおしり洗浄モードを示す構成図である。
【図１０】本発明に係る温水洗浄便座装置のビデ洗浄モードを示す構成図である。
【図１１】本発明に係る洗浄ノズルユニットの斜視図である。
【図１２】本発明に係る開閉弁機構とノズル通路切り替え弁機構の待機モードを示す説明図である。
【図１３】本発明に係る開閉弁機構とノズル通路切り替え弁機構のおしり洗浄モードを示す説明図である。
【図１４】本発明に係る開閉弁機構とノズル通路切り替え弁機構のビデ洗浄モードを示す説明図である。（実施例１）
【図１５】本発明に係る温水洗浄便座装置の超音波洗浄水発生装置の断面図である。
【図１６】本発明に係る温水洗浄便座装置の制御装置の構成図である。
【符号の説明】
【００４８】
１・・・・・温水洗浄便座
２・・・・・便座
３・・・・・開閉蓋
４Ａ・・・・おしり洗浄用ノズル
４Ｂ・・・・ビデ洗浄用ノズル
５・・・・・温水タンク
７・・・・・カバー
８・・・・・基材部
９・・・・・電動機装置
１０・・・・機能部
１２・・・・電動機装置
２４・・・・便座の軸部
２５・・・・スイッチ装置
２８・・・・タクトスイッチ
４０・・・・電磁弁
４１・・・・減圧弁
４３Ａ・・・おしり洗浄開始スイッチ
４３Ｂ・・・ビデ洗浄開始スイッ
４４・・・・洗浄停止スイッチ
４６・・・・ステッピングモータ
４７・・・・開閉弁
４８・・・・ノズル通路切り替え弁
４８Ａ・・・連通路
５０・・・・超音波振動子
５１・・・・本体
５１Ａ・・・超音波洗浄水発生室
５２・・・・超音波洗浄水発生装置５５０の入り口
５３・・・・超音波洗浄水発生装置５５０の出口
５４・・・・開口
５５・・・・上蓋
６０・・・・制御回路部
７０・・・・回動軸
７１・・・・筒体
７２・・・・分岐部
７３・・・・中空通路
７４Ａ・・・おしり洗浄用ノズル４Ａ側の入口通路
７４Ｂ・・・ビデ洗浄用ノズル４Ｂ側の入口通路
７５・・・・タンク水送出パイプ
５５０・・・超音波洗浄水発生装置
ＮＵ・・・・洗浄ノズルユニット
【図１】
2009179948.tif 000003
【図２】
2009179948.tif 000004
【図３】
2009179948.tif 000005
【図４】
2009179948.tif 000006
【図５】
2009179948.tif 000007
【図６】
2009179948.tif 000008
【図７】
2009179948.tif 000009
【図８】
2009179948.tif 000010
【図９】
2009179948.tif 000011
【図１０】
2009179948.tif 000012
【図１１】
2009179948.tif 000013
【図１２】
2009179948.tif 000014
【図１３】
2009179948.tif 000015
【図１４】
2009179948.tif 000016
【図１５】
2009179948.tif 000017
【図１６】
2009179948.tif 000018